(57)【要約】      （修正有）【課題】小型の容器を用いてコバエ等の虫を餌で誘き寄せ、多量に捕虫できる虫取り器を提供する。【解決手段】有底円筒状の容器１と、この容器１の蓋２と、容器１の開口部に挿着された捕虫紙１０とを備えた虫取り器において、上記捕虫紙１０は、外形が逆円錐形状に形成された捕虫台紙３と、この捕虫台紙３の外周部に塗付された粘着物４とを設ける。【選択図】図１
0003151241.tif 000002
【実用新案登録請求の範囲】
【請求項１】
有底円筒状の容器と、この容器の蓋と、上記容器の開口部に挿着された捕虫紙とを備えた虫取り器において、上記捕虫紙は、外形が逆円錐形状に形成された捕虫台紙と、この捕虫台紙の外周部に塗付された粘着物とからなることを特徴とする虫取り器。
【請求項２】
上記捕虫台紙は、外周部に膨らみのある複数のヒダを設けたことを特徴とする請求項１記載の虫取り器。
【考案の詳細な説明】
【０００１】  この考案は、小型の容器を用いたコバエ等の虫取り器に関するものである。
【背景技術】
【０００２】  従来のコバエ等の虫取り器としては、ビン等の中にロウト状のふたを用いたものがある。（例えば、特許文献１参照）。
【先行技術文献】
【特許文献】
【０００３】
【特許文献１】  実用新案登録第３０６６８１０号公報
【考案の概要】
【考案が解決しようとする課題】
【０００４】  上記のような従来のコバエ等の虫取り器は、捕らえた虫を熱湯等で駆除しなければならないと言う問題点があった。また、駆除した虫を廃棄し、容器を洗わなければならないので、手間が掛かると言う問題点もあった。【０００５】  この考案は、上述のような問題点を解決するためになされたもので、小型の容器を用いてコバエ等の虫を餌で誘き寄せ、多量に捕虫できる虫取り器を得ることを目的とする。
【課題を解決する為の手段】
【０００６】  この考案の虫取り器は、有底円筒状の容器と、この容器の蓋と、上記容器の開口部に挿着された捕虫紙とを備えた虫取り器において、上記捕虫紙は、外形が逆円錐形状に形成された捕虫台紙と、この捕虫台紙の外周部に塗付された粘着物を設けたものである。
【０００７】  また、捕虫台紙は、外周部に膨らみのある複数のヒダを設けたものである。
【考案の効果】
【０００８】  この考案の虫取り器は、有底円筒状の容器と、この容器の蓋と、容器の開口部に挿着された捕虫紙とを備えた虫取り器において、捕虫紙は、外形が逆円錐形状に形成された捕虫台紙と、この捕虫台紙の外周部に塗付された粘着物とで構成されているので、捕虫紙でとらえた虫は捕虫紙を廃棄して新しいものと交換するだけで良く、従来品の様に熱湯等で駆除する必要がなくなる。また、容器を洗う必要も無くなる。
【図面の簡単な説明】
【０００９】
【図１】  この考案の実施の形態１を示す虫取り器の斜視図である。
【図２】  この考案の虫取り器の容器断面図である。
【図３】  この考案の虫取り器の蓋断面図である。
【図４】  この考案の虫取り器の逆円錐形の捕虫紙の斜視図である。
【図５】  捕虫紙に剥離紙を貼った状態を示す斜視図である。
【図６】  この考案の実施の形態２を示す虫取り器に使用される捕虫紙の斜視図である。
【考案を実施するための形態】
【実施例１】
【００１０】    図１は、この考案の実施の形態１を示す虫取り器の斜視図である。図２は、この考案の虫取り器の容器断面図である。図３は、この考案の虫取り器の蓋断面図である。図４は、この考案の捕虫紙の斜視図である。図５は、捕虫紙に剥離紙を貼った状態を示す斜視図である。【００１１】    図において、１は合成樹脂で形成された有底円筒状の容器であり、段部１ａを有している。また、１ｂは透明部、１ｃは不透明部である。２は合成樹脂で形成された容器１の蓋であり、容器１の段部１ａと嵌合する段部２ａと、複数の窓２ｂが形成されている。１０は捕虫紙であり、捕虫台紙３と粘着物４で構成され、容器１の開口部１ｄに挿着されている。捕虫台紙３は、図４に示すように、外形が逆円錐形状に形成され、上部に大きい口３ａと、下部に小さい口３ｂと、ツマミ３ｃを有している。また、捕虫台紙３の外周部には帯状に粘着物４が塗付されている。なお、捕虫紙１０は、図５に示すように、使用前の状態においては、粘着物４を覆う剥離紙５が貼り付けられている。なお、捕虫台紙３の一方の外形Ｄ２は、容器１の開口部１ｄの内径Ｄ１より若干大きく形成されている。なお、また、この実施例１では、捕虫台紙３の外周部には帯状に粘着物４が塗付されているようにしたが、例えば粘着物４が塗付された両面接着テープを捕虫台紙３の外周部に貼り付けてもよい。【００１２】  上述の様に構成された虫取り器の使い方を図１に基づき説明する。
先ず、コバエ等の虫は、容器１の底１ｅに置かれた餌６に誘引され蓋２の複数の窓２ｂから進入する。進入した虫は捕虫台紙３の大きい口３ａから小さい口３ｂへ進み容器１内に入り込む。容器１内に入った虫は、容器下部の不透明部１ｃに置かれた餌６を食べ終えた後、容器１の外へ出ようとするが、小さい口３ｂから出るのが難しく、容器１上部の明るい透明部１ｂへ集まり透明部１ｂから飛び出そうとする。飛び回る虫は、粘着物４に留まり捕虫される。捕虫された虫は、蓋２を開けることなく透明部１ｂから捕虫数を見ることができ、捕虫台紙３のツマミ３ｃをつまんで取り外し廃棄できる。容器１の開口部１ｄに挿着された捕虫紙１０は、手を汚すことなく新しい捕虫紙１０と容易に交換出来、容器１は繰り返し使える。【００１３】  この考案の虫取り器は、有底円筒状の容器１と、この容器１の蓋２と、容器１の開口部１ｄに挿着された捕虫紙１０とを備えた虫取り器において、捕虫紙１０は、外形が逆円錐形状に形成された捕虫台紙と、この捕虫台紙の外周部に塗付された粘着物４とで構成されているので、捕虫紙１０でとらえた虫は捕虫紙１０を廃棄して新しいものと交換するだけで良く、従来品の様に熱湯等で駆除する必要がなくなる。また、容器を洗う必要も無くなる。【００１４】  また、蓋２の窓２ｂから侵入した虫は、逆円錐形の捕虫台紙３に有る大きい口３ａから小さい口３ｂを通り抜け容器１内に入る。一旦容器１内へ入った虫は、逃げ出すことが出来なくなる。容器１下部の不透明部１ｃから明るい透明な容器１上部へ集まり外へ飛び出そうとして、粘着紙４に留まり捕虫される。捕虫された虫は、容器の蓋２を開けることなく透明部１ｂから捕虫数を見ることが出来る。捕虫紙１０の交換は、捕虫台紙３にあるツマミ３ｃをつまんで取り外し廃棄することで、手を汚すことなく新しい捕虫紙１０との交換が容易である。
【実施例２】
【００１５】    図６は、この考案の実施の形態２である虫取り器に使用される捕虫紙２０の斜視図である。図において、２０は捕虫紙であり、外形が逆円錐形状に形成され、上部に大きい口３ａと、下部に小さい口３ｂと、ツマミ３ｃを有している。また、捕虫台紙３の外周部には膨らみのある複数のヒダ３ｄが設けられ，その外周部に帯状に粘着物４が塗付されている。【００１６】  この考案の実施の形態２である虫取り器は、捕虫台紙３の外周部には膨らみのある複数のヒダ３ｄを設けたので、表面積が広くなり、虫をより多く捕虫できる。
【符号の説明】    １  容器、１ａ  段部  １ｂ  透明部、１ｃ  不透明部、１ｄ  開口部、１ｅ  底、２  蓋、２ａ  段部、２ｂ  窓、３  捕虫台紙、３ａ  大きい口  ３ｂ  小さい口、３ｃ  ツマミ、３ｄ  ヒダ、４  粘着物  ５  剥離紙、６  餌、１０  捕虫紙、２０  捕虫紙
【図１】
0003151241.tif 000003
【図２】
0003151241.tif 000004
【図３】
0003151241.tif 000005
【図４】
0003151241.tif 000006
【図５】
0003151241.tif 000007
【図６】
0003151241.tif 000008